(57)【要約】      （修正有）【課題】容器本体の上部から楊枝の頭部を取り出すものとなっていて、楊枝の頭部を指で挟んで容器本体の上方から取り出しやすい携帯型楊枝入れを提供する。【解決手段】楊枝収納部１２の取出し口に設けた開閉操作用蓋体１５と、該蓋体をアーム１６を介して首振り自在に保持する蓋体支持軸１７と、該蓋体支持軸と所定の間隔をおいて配置した操作片支持軸１８と、該操作片支持軸に回動可能に取り付けられ、前記操作片支持軸を挟んで楊枝収納部側の先端には楊枝に係合する凹溝２１を形成するとともに、前記操作片支持軸を挟んで反対側には操作レバー部２２を形成した楊枝操作片１９と、該楊枝操作片の操作レバー部と前記蓋体側の適所との間を連結する連結アーム２４と、楊枝取出し機構の適所に一端を固着し、他端を操作レバー部に取り付けて、楊枝操作片を常態において非操作位置に保持し、かつ前記蓋体を閉じる位置に付勢するバネ２７とを備えたことを特徴とする。【選択図】図２
0003148504.tif 000002
【実用新案登録請求の範囲】
【請求項１】
楊枝を１本づつ取出し可能な携帯型楊枝入れであって、
該携帯型楊枝入れを構成する容器本体は所定本数の楊枝を収納する楊枝収納部と、該楊枝収納部の側部に設けた楊枝の取出し機構とを備え、
前記楊枝の取出し機構は、前記楊枝収納部の取出し口に設けた開閉操作用蓋体と、
該蓋体をアームを介して首振り自在に保持する蓋体支持軸と、
該蓋体支持軸と所定の間隔をおいて配置した操作片支持軸と、
該操作片支持軸に回動可能に取り付けられ、前記操作片支持軸を挟んで楊枝収納部側の先端には楊枝に係合する凹溝を形成するとともに、前記操作片支持軸を挟んで反対側には操作レバー部を形成した楊枝操作片と、
該楊枝操作片の操作レバー部と前記蓋体側の適所との間を連結する連結アームと、
楊枝取出し機構の適所に一端を固着し、他端を操作レバー部に取り付けて、楊枝操作片を常態において非操作位置に保持し、かつ前記蓋体を閉じる位置に付勢するバネと
を備えたことを特徴とする携帯型楊枝入れ。
【考案の詳細な説明】
【技術分野】
【０００１】
この考案は携帯型楊枝入れに関し、小型でかさばらず、ポケット等に入れて持ち歩いても収納された楊枝が飛び出すことがなく、また楊枝を１本づつ簡単に取り出すことができる携帯型楊枝入れに関するものである。
【背景技術】
【０００２】
従来、実開昭６２−１０３９４８号公報（特許文献１参照）に示されるような、複数本を容器本体に詰め込んだ楊枝を一本ずつ取り出す楊枝入れが開発されている。
この楊枝入れは、容器本体が、複数の楊枝を一列に並べて収納し、弾性部材が楊枝を側方に付勢するようになっている。また前記容器本体には、蓋体が取り付けてあり、最側方の楊枝と対向する蓋体の位置には、楊枝の長さより短い開口部が穿設されており、最側方の楊枝を起立させて取り出すようになっている。そして蓋体の開口部の下部に形成された押圧部が、開口部から露出していない最側方の楊枝の先端部を押下げるようになっている。
したがって、容器本体の底部に形成された突起部が、押圧部により押し下げられた楊枝の支点となって、使用者が押圧部を押し下げれば、最側方の楊枝の先端部が下降し、シーソーの原理により、突起部を支点として最側方の楊枝の頭部が開口部から起立して取り出せるようになっている。
【特許文献１】実開昭６２−１０３９４８号公報
【考案の開示】
【考案が解決しようとする課題】
【０００３】
しかしながら実開昭６２−１０３９４８号公報（特許文献１参照）に示す上記従来の楊枝入れは、楊枝の繰り出しを行う際に、蓋体の開口部の下部に形成された押圧部が、開口部から露出していない最側方の楊枝の先端部を押下げることにより、楊枝の頭部が開口部から起立した状態で楊枝を開口部の側面方向から取り出すため、楊枝の頭部を指で挟みにくく取り出しに難点があるという問題点があった。
また、蓋体の開口部の下部に形成された押圧部が、開口部から露出していない最側方の楊枝の先端部を押下げる構造になっており、使用者の口に入る部分が押圧部と接して極めて不衛生であるという問題点があった。
【０００４】
したがって、この考案の携帯型楊枝入れは上記課題を解消するためのもので、容器本体の上部から楊枝の頭部を取り出すものとなっていて、楊枝の頭部を指で挟んで容器本体の上方から取り出しやすく、また楊枝の取出し機構が、楊枝の中間部分に係合して引き上げる構造になっているので、使用者の口に入る部分が取出し機構と接しないため衛生的である携帯型楊枝入れを提供することをも目的とするものである。
【課題を解決するための手段】
【０００５】
すなわち、この考案の携帯型楊枝入れは、
楊枝を１本づつ取出し可能な携帯型楊枝入れであって、
該携帯型楊枝入れを構成する容器本体は所定本数の楊枝を収納する楊枝収納部と、該楊枝収納部の側部に設けた楊枝の取出し機構とを備え、
前記楊枝の取出し機構は、前記楊枝収納部の取出し口に設けた開閉操作用蓋体と、
該蓋体をアームを介して首振り自在に保持する蓋体支持軸と、
該蓋体支持軸と所定の間隔をおいて配置した操作片支持軸と、
該操作片支持軸に回動可能に取り付けられ、前記操作片支持軸を挟んで楊枝収納部側の先端には楊枝に係合する凹溝を形成するとともに、前記操作片支持軸を挟んで反対側には操作レバー部を形成した楊枝操作片と、
該楊枝操作片の操作レバー部と前記蓋体側の適所との間を連結する連結アームと、
楊枝取出し機構の適所に一端を固着し、他端を操作レバー部に取り付けて、楊枝操作片を常態において非操作位置に保持し、かつ前記蓋体を閉じる位置に付勢するバネと
を備えたことを特徴とするものである。
【考案の効果】
【０００６】
以上のように構成されたこの考案は、楊枝入れに収納されている楊枝を一本ずつ取り出すための携帯型楊枝入れであって、容器本体が、複数の楊枝を一列に並べて収納し、蓋体のスライド操作で楊枝を上方に押し上げるようになっている。
そして楊枝の頭部を指で挟んで容器本体の上方から取り出しやすく、また楊枝の取出し機構が、楊枝の中間部分に係合して引き上げる構造になっているので、使用者の口に入る部分が取出し機構と接しないため衛生的である携帯型楊枝入れを提供することが可能となった。
【考案を実施するための最良の形態】
【０００７】
以下、この考案の携帯型楊枝入れの実施の形態を図面に基いて詳細に説明する。
図１はこの考案の携帯型楊枝入れの１実施例を示す初期状態の断面図、図２は蓋体を開いた状態の断面図、図３は蓋体を開いた状態の概略平面図である。
【０００８】
図１および図２に示すようにこの考案の携帯型楊枝入れを構成する容器本体１１は所定本数の楊枝３１を収納する楊枝収納部１２と、該楊枝収納部１２の側部に設けた楊枝３１の取出し機構１３と、底板２０を備えている。
前記容器本体１１は、縦長の直方形状の筒状体からなるライターに類似した形状をなしており、縦長の筒状体の内部を前後に分けて楊枝収納部１２と取出し機構１３とを内蔵させてある。なお、楊枝収納部１２は楊枝３１を数本入れられるサイズの容器状に形成されている。
【０００９】
前記楊枝の取出し機構１３は楊枝収納部１２と隣接して設けた機構部１４内に配置されている。
そして、前記楊枝の取出し機構１３は容器本体１１の上面において、前記楊枝収納部１２の取出し口を開閉するよう取り付けた開閉操作用蓋体１５を備えている。この蓋体１５は、筒状本体１１の中ほどの適所において筒状本体１１の厚さ方向に向けて配置した蓋体支持軸１７に軸着されている。すなわち、蓋体１５の長さ方向のほぼ中間位置から下向きに形成したアーム１６を介して蓋体支持軸１７に首振り自在に軸着してある。
【００１０】
他方、前記蓋体支持軸１７と所定の間隔を空けて、筒状本体１１の厚さ方向に向けて操作片支持軸１８が配置してある。そしてこの操作片支持軸１８には、楊枝操作片１９が回動可能に取り付けられている。
この楊枝操作片１９は、前記操作片支持軸１８を挟んで楊枝収納部１２の側に突き出した先端には楊枝３１に係合する凹溝２１が形成してある。また該楊枝操作片１９の前記操作片支持軸１８を挟んで反対側には、楊枝操作片１９を動かす操作レバー部２２が形成してある。
２３は楊枝操作片１９の操作片支持軸１８との係合部分に形成したガイド孔で、楊枝操作片１９をスムーズに動けるようにするとともに、楊枝操作片１９と楊枝３１との係合位置がずれても、多少のずれを吸収できるようにするために設けてある。
【００１１】
前記楊枝操作片１９の操作レバー部２２と前記蓋体側の適所との間は、連結アーム２４で連結してある。図１および図２では、連結アーム２４の一端は操作レバー部２２に設けた取付孔２５に回動自在に軸着され、他端は蓋体１５のアーム１６の途中にアーム１６にほぼ直角に突設した係合部２６に遊嵌されている。
【００１２】
また２７は、容器本体１１の楊枝取出し機構１３部分の適所に一端を固着したバネで、該バネ２７の他端は操作レバー部２２に設けた取付孔２８に取り付けて、前記楊枝操作片１９を常態において非操作位置に保持し、かつ前記蓋体１５を閉じる位置に付勢するように機能する。
【００１３】
図３は蓋体を開いた状態の概略平面図で、前記楊枝操作片１９の操作レバー部２２の先端が楊枝３１の側面と係合している状態を示している。また楊枝３１は前記楊枝収納部１２内に複数収納されており、楊枝３１を１本取り出したら、筒状本体１１を楊枝収納部１２を下側にして寝かせることにより、次の楊枝３１が取出し位置に自動的に移動するようになっている。
【００１４】
図２および図３に基いて、本実施例の作用を説明する。
先ず最初に、携帯型楊枝入れの容器本体１１の上面を、蓋体１５を指で押下げて開くことにより開放し、所定本数の楊枝３１を楊枝収納部１２に収納する。もちろん、蓋体１５はその後閉じるのであるが、指を蓋体１５から離すことにより前記バネ２７の作用で自動的に蓋体１５は閉じた状態に戻るのである。
【００１５】
次に、筒状本体１１を楊枝収納部１２を下側にして寝かせ、１本の楊枝３１を取出し位置に移動させておく。
楊枝３１の取出しに際しては、蓋体１５を指で押下げて開くだけでよく、その際、楊枝３１の側面に前記楊枝操作片１９の凹溝２１が係合して、楊枝３１の頭部を楊枝収納部１２の上部から突き出させる。３２は漏斗状の取出しガイドである。
【００１６】
すなわち、蓋体１５の開く動作に応じてアーム１６も回動し、連結アーム２４の上端を押下げる。同時に連結アーム２４によって楊枝操作片１９の操作レバー部２２が押下げられて、操作片支持軸１８を挟んで操作レバー部２２の反対側に位置する楊枝操作片１９の先端が上昇し、その際、楊枝３１の側面に前記楊枝操作片１９の凹溝２１が係合して、楊枝３１の頭部を楊枝収納部１２の上部から突き出させるのである。
【００１７】
もちろん、指を蓋体１５から離すことにより前記バネ２７の作用で楊枝操作片１９の操作レバー部２２が持ち上げられ、同時に連結アーム２４の突き上げによってアーム１６も元の位置に復帰し、自動的に蓋体１５は閉じた状態に戻るのである。
また、逆に楊枝操作片１９の先端は下降して楊枝３１との係合が解かれ、所定位置に楊枝３１がセットされるのを可能にしている。
【産業上の利用可能性】
【００１８】
以上のように構成されたこの考案は、携帯型の楊枝入れに適用した場合について説明しているが、卓上型の楊枝入れに適用することもできる。
また、この考案の携帯型楊枝入れは、棒状のマッチやその他の棒状体の取り出し機構に採用することも可能である。
【図面の簡単な説明】
【００１９】
【図１】この考案の携帯型楊枝入れの１実施例を示す初期状態の断面図である。
【図２】蓋体を開いた状態の断面図である。
【図３】蓋体を開いた状態の概略平面図である。
【符号の説明】
【００２０】
１１  容器本体
１２  楊枝収納部
１３  取出し機構
１４  機構部
１５  開閉操作用蓋体
１６  アーム
１７  蓋体支持軸
１８  操作片支持軸
１９  楊枝操作片
２０  底板
２１  凹溝
２２  操作レバー部
２３  ガイド孔
２４  連結アーム
２５  取付孔
２６  係合部
２７  バネ
２８  取付孔
３１  楊枝
３２  取出しガイド
【図１】
0003148504.tif 000003
【図２】
0003148504.tif 000004
【図３】
0003148504.tif 000005